(57)【要約】【課題】作業者が商品ラベルを離型台紙から剥がす際の作業性を改善することが可能なタイヤ用ラベルを提供する。【解決手段】離型台紙３にタイヤ情報を記載した商品ラベル５を接着したタイヤ用ラベル１であり、商品ラベル５の端部６に位置する離型台紙３の領域７に作業者が指を挿入して商品ラベル５の端部６を把持可能な挿入部９が形成されている。【選択図】図２
2005249984.tif 000002
【特許請求の範囲】
【請求項１】
離型台紙にタイヤ情報を記載した商品ラベルを接着したタイヤ用ラベルにおいて、前記商品ラベルの端部に位置する前記離型台紙の領域に作業者が指を挿入して前記商品ラベルの端部を把持可能な挿入部を形成したタイヤ用ラベル。
【請求項２】
前記挿入部を前記離型台紙を貫通する孔部から構成し、該孔部を前記商品ラベルの端部に対面する位置から該端部の外側まで延在させた請求項１に記載のタイヤ用ラベル。
【請求項３】
前記挿入部を前記離型台紙に形成した切り込みから構成し、該切り込みを前記商品ラベルの端部に対面する位置から該端部の外側まで延在させた請求項１に記載のタイヤ用ラベル。
【請求項４】
前記商品ラベルの端部を前記離型台紙に非接着にした請求項１，２または３に記載のタイヤ用ラベル。
【請求項５】
前記商品ラベルに前記非接着にした端部を囲むミシン目状の切り取り線を形成した請求項４に記載のタイヤ用ラベル。
【請求項６】
前記切り取り線を前記商品ラベルの接着している領域に設けて、前記非接着にした端部を囲むようにした請求項５に記載のタイヤ用ラベル。
【請求項７】
前記離型台紙に前記商品ラベルを接着する位置を示すマークを設けた請求項１，２，３，４，５または６に記載のタイヤ用ラベル。
【発明の詳細な説明】
【技術分野】
【０００１】
本発明は、離型台紙にタイヤ情報を記載した商品ラベルを接着したタイヤ用ラベルに関し、更に詳しくは、作業者が商品ラベルを離型台紙から剥がす際の作業性を改善するようにしたタイヤ用ラベルに関する。
【背景技術】
【０００２】
一般消費者向けタイヤのトレッド面には、メーカ名、タイヤ名、タイヤ幅、偏平率、タイヤ構造、リム径などのタイヤ情報を印刷した商品ラベルが貼り付けられている。作業者が、タイヤ出荷時に離型台紙に接着した状態の商品ラベルを剥がして、タイヤのトレッド面に貼り付けるようにしている（例えば、特許文献１参照）。
【０００３】
しかしながら、商品ラベルの裏面全体が離型台紙に接着しているため、商品ラベルを離型台紙から剥がす際に、手袋をして作業をしている作業者が手袋をとり、素手で剥がさなければならず、作業性が悪いという問題があった。
【特許文献１】特開平６−３１２６０４号公報（２頁、図５，６，７）
【発明の開示】
【発明が解決しようとする課題】
【０００４】
本発明は、作業者が商品ラベルを離型台紙から剥がす際の作業性を改善することが可能なタイヤ用ラベルを提供することにある。
【課題を解決するための手段】
【０００５】
上記目的を達成する本発明は、離型台紙にタイヤ情報を記載した商品ラベルを接着したタイヤ用ラベルにおいて、前記商品ラベルの端部に位置する前記離型台紙の領域に作業者が指を挿入して前記商品ラベルの端部を把持可能な挿入部を形成したことを特徴とする。
【発明の効果】
【０００６】
上述した本発明によれば、上記離型台紙の領域に作業者が指を挿入して商品ラベルの端部を把持可能な挿入部を形成したので、作業者が手袋をした手の人指し指を挿入部に差し入れ、その人指し指と親指で商品ラベルの端部を把持し、商品ラベルを離型台紙から引き剥がすことができるため、作業者が手袋をとらずに商品ラベルを剥がすことが可能になる。そのため、商品ラベルを離型台紙から剥がす際の作業性を改善することができる。
【発明を実施するための最良の形態】
【０００７】
以下、本発明の実施の形態について添付の図面を参照しながら詳細に説明する。なお、添付の図面において、同一構成要素は同一符号を付し、重複する説明は省略する。
【０００８】
図１は本発明のタイヤ用ラベルの一実施形態を示し、このタイヤ用ラベル１は、巻取りロール２にロール状に巻き取られた長尺の離型台紙３の表面４にタイヤ情報を印刷等により記載した商品ラベル５を所定の間隔で接着してある。
【０００９】
各商品ラベル５の一方の端部６に位置する離型台紙３の領域７には、作業者が手袋を嵌めたまま指を挿入して商品ラベル５の端部６を把持可能な孔部８からなる挿入部９が形成されている。孔部８は、離型台紙５を貫通するように形成され、図２に示すように商品ラベル５の端部６に対面する位置から端部６の外側まで領域７に延在している。
【００１０】
商品ラベル５の端部６の孔部８に面する裏面領域１０には接着剤が塗布されておらず、離型台紙３に対して非接着にした非接着領域にしてある。それ以外の領域１２は離型台紙３に接着する接着領域になっている。
【００１１】
また、商品ラベル５には端部６の非接着領域を囲むミシン目状の切り取り線１１が形成されている。この切り取り線１１は、商品ラベル５の非接着領域から１〜２ｍｍ離間した接着領域に設けられて、端部６の非接着領域を囲んでいる。
【００１２】
離型台紙３の表面４には、商品ラベル５を離型台紙３に貼り付けてタイヤ用ラベル１を製造する際に商品ラベル５を接着する位置を示すマーク１３が設けられ、非接着領域にした端部６を孔部８に面するように、商品ラベル５を離型台紙３の所定位置に正確に貼り付けられるようにしている。
【００１３】
上記タイヤ用ラベル１が巻取りロール２から巻き出された図１の状態になると、作業者が手袋をした手の人指し指を孔部８に差し入れ、その人指し指と親指で商品ラベル５の端部６を把持し、商品ラベル５を離型台紙３から引き剥がす。剥がした商品ラベル５をタイヤのトレッド面に貼り付けた後、端部６を引張って切り取り線１１で囲まれた部分を切り取り、商品ラベル５の剥離及び貼り付け作業が終了する。なお、図１において、１４は商品ラベル５を剥がした離型台紙３を巻き取る巻取りロールである。
【００１４】
上述した本発明では、離型台紙３の領域７に作業者が指を挿入して商品ラベル５の端部６を把持可能な孔部８からなる挿入部９を形成したので、作業者が手袋をした手の人指し指を孔部８に差し入れ、その人指し指と親指で商品ラベル５の端部６を把持し、商品ラベル５を離型台紙３から引き剥がすことが可能になる。そのため、作業者が手袋をとらずに商品ラベル５を剥がすことができ、商品ラベル５を離型台紙３から剥がす際の作業性を改善することができる。
【００１５】
また、作業者が把持する商品ラベル５の端部６を離型台紙３に非接着にしたので、作業者が剥がした商品ラベル５をタイヤのトレッド面に貼り付ける際に作業者の手袋をした手の人指し指に着くことがないため、商品ラベル５をタイヤのトレッド面に容易に貼り付けることができる。従って、商品ラベル５を離型台紙３から剥してトレッド面に貼り付けるまでの一連の作業を、自動で貼り付ける高価な設備がなくでも効率よく行うことができ、生産性の向上を図ることができる。
【００１６】
また、商品ラベル５に接着剤を塗布していない端部６を囲むミシン目状の切り取り線１１を形成したので、商品ラベル５をタイヤのトレッド面に貼り付け後、トレッド面に接着していない端部６を切り取ることができる。そのため、商品ラベル５が接着していない端部６を起点にして剥がれることを防止することができる。
【００１７】
しかも、切り取り線１１を商品ラベル５の接着している領域１２に設けたので、接着剤を塗布していない部分を確実に除去して、端部６を起点とする剥がれを確実に防止することができる。
【００１８】
また、離型台紙３に商品ラベル５を接着する位置を示すマーク１３を付したので、商品ラベル５を離型台紙３に貼り付けるタイヤ用ラベル１の製造工程において、接着剤を裏面に塗布してない端部６を孔部８に確実に位置させて、離型台紙３の所定位置に正確に貼り付けられることができる。
【００１９】
図３は、本発明のタイヤ用ラベルの他の実施形態を示す。このタイヤ用ラベル１Ａは、挿入部９を離型台紙３に形成したＸ字状の切り込み１５から構成したものである。切り込み１５は、離型台紙３の領域７において、商品ラベル５の端部６に対面する位置から端部６の外側まで、Ｘ字状の切り込み１５の交点１６を端部６のエッジ１７に位置させるようにして延在している。
【００２０】
端部６の切り込み１５を囲む二点鎖線で示す裏面領域１８には接着剤が塗布されておらず、離型台紙３に対して非接着にした非接着領域にしてある。その非接着領域を囲むミシン目状の切り取り線１１が、非接着領域から１〜２ｍｍ離間した領域（接着領域）１２に設けられている。
【００２１】
このように切り込み１５を設けることによっても、作業者が手袋をした手の人指し指を切り込み１５に挿入し、その人指し指と親指で商品ラベル５の端部６を把持し、商品ラベル５を離型台紙３から引き剥がすことができるため、商品ラベル５を離型台紙３から剥がす際の作業性を改善することが可能になる。
【００２２】
本発明において、上記実施形態では、挿入部９として、孔部８及び切り込み１５を例示したが、作業者が手袋をした指を挿入して商品ラベル５の端部６を把持可能なものであれば、他の態様であってもよいことは言うまでもない。
【００２３】
また、上記実施形態では、挿入部９を商品ラベル５の一方の端部６に位置する離型台紙３の領域７に設けたが、商品ラベル５の周縁に位置する端部であれば、いずれの箇所であってもよく、その端部に位置する離型台紙３の領域に挿入部９を形成することができる。
【図面の簡単な説明】
【００２４】
【図１】本発明のタイヤ用ラベルの一実施形態を示す斜視図である。
【図２】図１の要部を示す拡大平面図である。
【図３】本発明のタイヤ用ラベルの他の実施形態の要部を示す拡大平面図である。
【符号の説明】
【００２５】
１，１Ａ  タイヤ用ラベル
３  離型台紙                                                                          ５  商品ラベル
６  端部
７  領域
８  孔部
９  挿入部
１０  裏面領域
１１  切り取り線
１２  領域
１３  マーク
１５  切り込み
１８  裏面領域
【図１】
2005249984.tif 000003
【図２】
2005249984.tif 000004
【図３】
2005249984.tif 000005